(57)【要約】【課題】  本発明は状態表示制御装置及び電子装置並びに記憶媒体に関し、限られた表示面積で電子装置の状態情報を細かく表示可能とすることを目的とする。【解決手段】  主表示部と補助表示部とを有する電子装置の状態情報を表示する状態表示制御装置であって、ユーザが時刻に対応して設定した内容を前記補助表示部に表示する制御部を備えるように構成する。【選択図】        図３
2005044351.tif 000002
【特許請求の範囲】
【請求項１】
主表示部と補助表示部とを有する電子装置の状態情報を表示する状態表示制御装置であって、
ユーザが時刻に対応して設定した内容を前記補助表示部に表示する制御部を備えたことを特徴とする、状態表示制御装置。
【請求項２】
前記内容は、スケジュール情報であることを特徴とする、請求項１記載の状態表示制御装置。
【請求項３】
主表示部と、
電子装置の状態情報を表示する補助表示部と、
ユーザが時刻に対応して設定した内容を前記補助表示部に表示する制御部とを備えたことを特徴とする、電子装置。
【請求項４】
前記内容は、スケジュール情報であることを特徴とする、請求項３記載の電子装置。
【請求項５】
本体部と、
該本体部に対して開閉可能に設けられ、前記主表示部が開成状態でのみ見える位置に配置された蓋部材とを更に備え、
前記補助表示部は、該本体部の、該蓋部材の閉成状態でも見える位置に配置されていることを特徴とする、請求項３又は４記載の電子装置。
【請求項６】
本体部と、
該本体部に対して開閉可能に設けられ、前記主表示部が開成状態でのみ見える位置に配置された蓋部材とを更に備え、
前記補助表示部は、該本体部の、該蓋部材の閉成状態でも見える位置に配置された第１の表示部と、該蓋部材の開成状態でのみ見える位置に配置された第２の表示部とからなることを特徴とする、請求項３又は４記載の電子装置。
【請求項７】
主表示部と補助表示部とを有する電子装置の状態情報をコンピュータに表示させるプログラムを格納したコンピュータ読み取り可能な記憶媒体であって、
コンピュータに、ユーザが時刻に対応して設定した内容を前記補助表示部に表示させる制御手順を実行させるためのプログラムを格納したことを特徴とする、記憶媒体。
【請求項８】
前記内容は、スケジュール情報であることを特徴とする、請求項７記載の記憶媒体。
【請求項９】
前記電子装置は、
本体部と、
該本体部に対して開閉可能に設けられ、前記主表示部が開成状態でのみ見える位置に配置された蓋部材とを備え、
前記補助表示部は、該本体部の、該蓋部材の閉成状態でも見える位置に配置されていることを特徴とする、請求項７又は８記載の記憶媒体。
【請求項１０】
前記電子装置は、
本体部と、
該本体部に対して開閉可能に設けられ、前記主表示部が開成状態でのみ見える位置に配置された蓋部材とを備え、
前記補助表示部は、該本体部の、該蓋部材の閉成状態でも見える位置に配置された第１の表示部と、該蓋部材の開成状態でのみ見える位置に配置された第２の表示部とからなることを特徴とする、請求項７又は８記載の記憶媒体。
【発明の詳細な説明】
【技術分野】
【０００１】
本発明は、状態表示制御装置及び電子装置並びに記憶媒体に関し、特に電子装置の状態情報を表示するための状態表示制御装置、そのような状態表示制御装置を備えた電子装置及びコンピュータに状態表示を行わせるプログラムが格納されたコンピュータ読み取り可能な記憶媒体に関する。
【０００２】
本明細書では、電子装置とは、ノート型パーソナルコンピュータ、ノート型ワードプロセッサ等の携帯型情報処理装置、電子メール送受信機能を備えた各種インテリジェント機器等を含む。
【背景技術】
【０００３】
ノート型パーソナルコンピュータ等の携帯型電子装置には、通常の主表示部に加えて、ランプ及び記号やアイコン等のシンボルで電子装置の状態情報を表示する補助表示部が設けられているものもある。補助表示部の表示面積は、主表示部と比べるとかなり小さい。これは、補助表示部をあまり大きくしてしまうと、電子装置に本来設けるべきキーボード、スイッチやボタン類、端子、スピーカ等を設けられなくなってしまうからである。
【０００４】
このように、補助表示部は小さいため、表示可能な電子装置の状態情報数は少ない。このため、従来の電子装置の補助表示部に表示される状態情報は、例えば、再生中のＣＤのトラック番号や、現在時刻、バッテリ残量、電子メールの着信の有無等、非常に限られている。
【０００５】
上記の如き補助表示部を備えた従来の電子装置としては、例えば特許文献１、特許文献２、特許文献３、シャープ株式会社製のノート型パーソナルコンピュータＰＣ−ＦＪ１００シリーズ等が挙げられる。
【特許文献１】特開平６−４３９６６号公報
【特許文献２】特開平９−２６８３２号公報
【特許文献３】特開平１１−１１９８７５号公報
【発明の開示】
【発明が解決しようとする課題】
【０００６】
表示面積の限られた補助表示部を備えた従来の電子装置では、ランプ、記号やアイコンで電子装置の状態情報を表示するため、表示可能な状態が限られてしまい、電子装置の状態情報を細かく表示することはできないという問題があった。
【０００７】
そこで、本発明は、限られた表示面積で電子装置の状態情報を細かく表示可能な状態表示制御装置及び電子装置並びに記憶媒体を提供することを目的とする。
【課題を解決するための手段】
【０００８】
上記の課題は、主表示部と補助表示部とを有する電子装置の状態情報を表示する状態表示制御装置であって、ユーザが時刻に対応して設定した内容を前記補助表示部に表示する制御部を備えたことを特徴とする状態表示制御装置によって達成できる。
【０００９】
この場合、前記内容は、スケジュール情報であっても良い。
【００１０】
上記の課題は、主表示部と、電子装置の状態情報を表示する補助表示部と、ユーザが時刻に対応して設定した内容を前記補助表示部に表示する制御部とを備えたことを特徴とする電子装置によっても達成できる。
【００１１】
前記内容は、スケジュール情報であっても良い。本体部と、該本体部に対して開閉可能に設けられ、前記主表示部が開成状態でのみ見える位置に配置された蓋部材とを更に備え、前記補助表示部は、該本体部の、該蓋部材の閉成状態でも見える位置に配置されている構成としても良い。又は、本体部と、該本体部に対して開閉可能に設けられ、前記主表示部が開成状態でのみ見える位置に配置された蓋部材とを更に備え、前記補助表示部は、該本体部の、該蓋部材の閉成状態でも見える位置に配置された第１の表示部と、該蓋部材の開成状態でのみ見える位置に配置された第２の表示部とからなる構成としても良い。
【００１２】
上記の課題は、主表示部と補助表示部とを有する電子装置の状態情報をコンピュータに表示させるプログラムを格納したコンピュータ読み取り可能な記憶媒体であって、コンピュータに、ユーザが時刻に対応して設定した内容を前記補助表示部に表示させる制御手順を実行させるためのプログラムを格納したことを特徴とする記憶媒体によっても達成できる。
【００１３】
この場合、前記内容は、スケジュール情報であっても良い。前記電子装置は、本体部と、該本体部に対して開閉可能に設けられ、前記主表示部が開成状態でのみ見える位置に配置された蓋部材とを備え、前記補助表示部は、該本体部の、該蓋部材の閉成状態でも見える位置に配置されている構成としても良い。又は、前記電子装置は、本体部と、該本体部に対して開閉可能に設けられ、前記主表示部が開成状態でのみ見える位置に配置された蓋部材とを備え、前記補助表示部は、該本体部の、該蓋部材の閉成状態でも見える位置に配置された第１の表示部と、該蓋部材の開成状態でのみ見える位置に配置された第２の表示部とからなる構成としても良い。
【発明の効果】
【００１４】
本発明によれば、限られた表示面積で電子装置の状態情報を細かく表示可能な状態表示制御装置及び電子装置並びに記憶媒体を実現することができる。
【発明を実施するための最良の形態】
【００１５】
本発明になる状態表示制御装置及び電子装置並びに記憶媒体の各実施例を、以下に図面と共に説明する。
【実施例】
【００１６】
図１は、本発明になる電子装置の一実施例を蓋部材が閉成された状態で示す斜視図である。又、図２は、電子装置の実施例を、蓋部材が開成された状態で示す斜視図である。電子装置の本実施例では、本発明になる状態表示制御装置の一実施例を用いる。本実施例では、本発明が携帯型情報処理装置に適用されている。
【００１７】
図１及び図２に示すように、携帯型情報処理装置は、大略本体部１と、本体部１に対してヒンジ部２を介して開閉可能に設けられた蓋部材３とからなる。本体部１の、蓋部材３が閉成された状態でも露出しているフロントパネル４には、補助表示部５と、モードセレクトスイッチ６と、アプリボタン群７とが設けられている。又、本体部１には、図２に示すように、カーソル移動機構１１と、キーボード１２と、補助表示部１３とが設けられている。又、蓋部材３には、主表示部１５が設けられている。主表示部１５は、蓋部材３が開成された状態で見える位置に設けられている。
【００１８】
尚、補助表示部１３は、本実施例ではヒンジ部２の近傍の、蓋部材３の閉成された状態では見えない位置に設けられているが、補助表示部１３の位置はこれに限定されるものではなく、本体部１の任意の位置や、蓋部材３の主表示部１５とは反対側の上面等の蓋部材３の任意の位置に設けることができる。又、補助表示部１３は、省略しても良い。
【００１９】
情報処理装置の状態（ステータス）情報の表示は、補助表示部５及び補助表示部１３の少なくとも一方で行えば良い。本実施例では、説明の便宜上、補助表示部５に状態情報を表示するものとして説明する。従って、補助表示部５及び補助表示部１３は、基本的には同じ構成を有するものとして、補助表示部５の構成及び表示内容について説明し、補助表示部１３の構成や表示内容に関する説明は省略するが、補助表示部５及び補助表示部１３は互いに異なる構成を有しても良いことは、言うまでもない。
【００２０】
補助表示部５は、蓋部材３が閉じられた状態でも、表示がユーザに認識できるという効果がある。従って、蓋部材３を閉じている場合（スタンバイモードや、情報処理装置の一時的な不使用時にユーザが蓋部材３を閉じているとき等）に、ユーザが表示により各種ステータスを認識できる。主表示部１５を使用しない状態であっても、補助表示部５が常に見れる状態にあることが好ましい。この目的のためには、補助表示部は、図２の如く、補助表示部５と補助表示部１３の２つ設ける必要はなく、補助表示部５のみ情報処理装置に設けられていれば良い。
【００２１】
又、主表示部１５を使用しない状態（蓋部材３を閉じた状態）であっても、補助表示部５が常に見れる状態を達成するために、図２の補助表示部５の位置にそれを設ける場合以外に、特開平１１−１１９８７５号公報（公開日平成１１年４月３０日）が開示する補助表示部の位置に補助表示部５を設ける構造の採用も可能である。この特開平１１−１１９８７５号公報の図１では、携帯型情報処理装置の本体部と蓋部材（ディスプレイを有する：メインディスプレイと称している）がヒンジ部で結合されているもので、前記ヒンジ部に補助表示部（サブディスプレイと称している）を設けて、ヒンジ部の蓋部材（ディスプレイ部）に上記補助表示部に対応して切り欠きを設けている。そして、蓋部材が本体部に対して開位置と閉位置とのいずれにあっても、補助表示部が視認できる構造をとる。この構造でも、上記蓋部材３を閉じている場合（スタンバイモードや、情報処理装置の一時的な不使用時にユーザが蓋部材３を閉じているとき等）でも、ユーザが補助表示部５が常に見れる状態を達成できる。
【００２２】
又、本発明は、補助表示部を１つのみ有する場合又は複数有する場合のいずれの構成を採用しても良い。
【００２３】
図３は、補助表示部５の基本構成を示す図である。同図に示すように、補助表示部５は、セグメント表示部２１、アプリボタンステータス表示部２２、デバイスステータス表示部２３、キャラクタ表示部２４及びバッテリステータス表示部２５からなる。尚、キャラクタとは、ここでは、文字や記号等を総称して呼ぶものとする。
【００２４】
セグメント表示部２１は、情報処理装置内に設けられている周知の構成のＣＤプレーヤ（図示せず）の動作状態等を示す複数のセグメント表示からなる。セグメント表示部２１は、例えばＣＤ（Ｃｏｍｐａｃｔ  Ｄｉｓｋ）プレーヤで現在演奏中の曲のトラック番号等を表示する。尚、ＣＤプレーヤの動作状態の代わりに、ＤＶＤ（Ｄｉｇｉｔａｌ  Ｖｅｒｓａｔｉｌｅ  Ｄｉｓｋ）等の、ＣＤ以外の可搬型記録媒体を用いる装置（可搬型記録媒体用装置）の動作状態を表示するようにしても良いことは、言うまでもない。
【００２５】
アプリボタンステータス表示部２２は、アプリボタン群７を構成し、アプリケーションを選択する際に操作されるアプリボタンの現在モード等を表示する。アプリボタンステータス表示部２２は、例えばＣＤプレーヤ機能、アプリケーションソフトウェア起動スイッチ機能、セキュリティボタン機能、ボタンロック機能等を表示する。
【００２６】
デバイスステータス表示部２３は、情報処理装置のスリープ状態、ＰＣＭＣＩＡカード，ＨＤＤ（Ｈａｒｄ  Ｄｉｓｋ  Ｄｒｉｖｅ），ＣＤ，キーボード１２，ハードウェアの音量（ボリューム）等の状態表示を行う。
【００２７】
キャラクタ表示部２４は、文字列の表示が可能な表示面積を有し、情報処理装置の状態情報等を表示するのに使用される。キャラクタ表示部２４は、例えば上位アプリケーションレイヤから送られてくるメッセージをそのまま表示することも可能であり、表示する内容は特に限定されない。又，キャラクタ表示部２４に表示する文字は、スクロールしても良い。更に、キャラクタ表示部２４には、周知の構成のバックライトが設けられており、バックライトによりＬＣＤ表示を複数の色で行わせたり、点滅表示させたりすることもできる。尚、ＬＣＤ表示自体をカラーで行ったり、点滅表示したりしても良いことは、言うまでもない。
【００２８】
バッテリステータス表示部２５は、情報処理装置が用いるバッテリ（図示せず）の残量や、充電状態等を表示する。
【００２９】
尚、表示色の切替や、点滅表示は、キャラクタ表示部２４と同様に、セグメント表示部２１、アプリボタンステータス表示部２２、デバイスステータス表示部２３及びバッテリステータス表示部２５において行っても良い。
【００３０】
図４は、補助表示部５のより具体的な構成をモードセレクトスイッチ６とアプリボタン群７と共に示す図である。同図中、図１〜図３と同一部分には同一符号を付し、その説明は省略する。図４では、アプリボタン群７は、アプリケーションＡ、アプリケーションＢ、インターネット（Ｉｎｔｅｒｎｅｔ）及び電子メール（Ｅ−ｍａｉｌ）を選択するための４つのアプリボタンからなる。
【００３１】
図５は、本実施例のハードウェア構成を示すブロック図である。情報処理装置内には、ＣＰＵ３１、ＣＰＵ３１が実行するソフトウェア３２、チップセット部３３、キーボードコントロール（ＫＢＣ）部３４、ＡＳＩＣレジスタ３５、ＣＤコントローラ３６、ＣＤ／ＤＶＤプレーヤ３７、電源回路３８、電源ＭＰＵ３９、ハードウェア音量ツマミ４０、セグメント表示インタフェース４１、キャラクタ表示インタフェース４２、アイコン表示インタフェース４３、Ｐ−ＢＵＳインタフェース４５、電源回路インタフェース４６、ハードウェア音量インタフェース４７、スイッチ群５０及び補助表示部５が、同図に示す如く接続されている。
【００３２】
ＣＰＵ３１は、情報処理装置の全体の動作を制御するもので、アプリケーション等のソフトウェア３２を実行する。ソフトウェア３２自体は、任意の記憶媒体に格納されている。チップセット部３３は、ＣＰＵ３１からの指示に応じて本体部１内の各部の設定を行う。ＡＳＩＣレジスタ３５は、補助表示部５に表示する状態情報を格納するために設けられている。例えば、ＣＰＵ３１からのキャラクタ表示情報、ＫＢＣ部３４からのキーボード状態の情報、各種ステータス信号、ＣＤ／ＤＶＤプレータ３７からのＣＤアクセス信号等が、ＡＳＩＣレジスタ３５に格納される。
【００３３】
電源ＭＰＵ３９は、Ｐ−ＢＵＳインタフェース４５を使用してＡＳＩＣレジスタ３５をアクセスし、アクセスした情報に基いて、キャラクタ及びアイコン表示情報、即ち、状態情報を、キャラクタ表示インタフェース４２及びアイコン表示インタフェース４３を介して補助表示部５に供給する。
【００３４】
電源回路３８は、電池やＡＣアダプタ等からの電源電圧を情報処理装置内の各部に供給する。電源ＭＰＵ３９は、電源情報を電源回路インタフェース４６を介して電源回路３８から読み込み、計算処理等を行った後に補助表示部５へ表示を行う。電源ＭＰＵ３９で計算処理された電源情報には、バッテリの残量等を示すバッテリ情報等が含まれる。
【００３５】
ダイヤル式のハードウェア音量調整ツマミ４０は、ツマミ位置に応じたボリューム抵抗値を、ハードウェア音量インタフェース４７を介して電源ＭＰＵ３９に供給する。図６は、電源ＭＰＵ３９のツマミ位置の検出処理を説明する図である。電源ＭＰＵ３９は、ステップＳ１でハードウェア音量調整ツマミ４０からのツマミ位置に応じたボリューム抵抗値を、ハードウェア音量インタフェース４７を介して入力し、ステップＳ２でアナログ／デジタル（Ａ/Ｄ）変換する。ステップＳ３では、ツマミ位置を補助表示部５のデバイスステータス表示部２３に表示するためのアイコン表示情報を、アイコン表示インタフェース４３を介して補助表示部５に供給する。
【００３６】
スイッチ群５０は、モードセレクトスイッチ６と、アプリボタン群７のアプリボタンとを含む。
【００３７】
尚、ＣＤコントローラ３６等からのセグメント表示情報は、セグメント表示インタフェース４１を介して補助表示部５に供給される。
【００３８】
図７は、補助表示部５とインタフェース部４１〜４３とを示すブロック図である。同図中、キャラクタ表示部２４には、複数の発光色で発光可能な任意の構成のバックライト２４Ａが設けられ、キャラクタ表示部２４以外の表示部２２，２３は、アイコン表示部２６として図示している。又、キャラクタ表示インタフェース４２は、ＴＴＬインタフェース、ＣＭＯＳインタフェース等の、パラレル又はシリアルデータ転送方式を用いる。このため、ＬＣＤからなるキャラクタ表示部２４を駆動するための交流化回路からなるＬＣＤドライバ２７と、キャラクタジェネレータ（ＣＧ）２８とが、補助表示部５に設けられている。キャラクタ表示インタフェース４２は、このＣＧ２８にキャラクタ表示情報を供給する。
【００３９】
又、セグメント表示インタフェース４１は、ＬＣＤからなるセグメント表示部２１を直接駆動して表示するための、任意の桁数の数字等のセグメント表示情報を、セグメント表示部２１に供給する。アイコン表示インタフェース４３は、ＬＣＤからなるアイコン表示部２６を直接駆動して表示するための、各種アイコン表示情報を、アイコン表示部２６に供給する。
【００４０】
バックライトコントロール４８は、図５では図示を省略しているが、電源ＭＰＵ３９からの表示情報に基いて、キャラクタ表示部２４のバックライト２４Ａのオン状態、オフ状態、点滅間隔の制御を含んだ点滅状態、発光色等を制御する。
【００４１】
図８は、情報処理送致のハードウェア及びソフトウェア構成を示す図である。同図中、ソフトウェアレイヤＳＷＬは、図５に示すソフトウェア３２に対応する、メールプログラム３２１、ＣＤプレーヤアプリケーション３２２、その他のアプリケーション３２３及びＬＣＤハンドルソフトウェア（ドライバ）３２４とからなる。他方、ハードウェアレイヤＨＷＬは、ＡＳＩＣレジスタ３５、電源ＭＰＵ３９及び補助表示部５等からなる。ハードウェアレイヤＨＷＬのチップセット部３３等の他のハードウェア部分は、図５に示されているので、図示は省略する。
【００４２】
メールプログラム３２１は、電子メールの送受信機能等の、電子メールに関わる機能を実現するためのプログラムを含む。ＣＤプレーヤアプリケーション３２２は、ＣＤ/ＤＶＤプレーヤ３７の各種機能を実現するためのプログラムを含む。ＬＣＤハンドルソフトウェア３２４は、補助表示部５に表示を行う際に、ＡＳＩＣレジスタ３５へのアクセスを行うために設けられている。従って、ＡＳＩＣレジスタ３５は、ＬＣＤハンドルソフトウェア３２４と電源ＭＰＵ３９との間のチャネルを提供する役割を持つ。
【００４３】
ＬＣＤハンドルソフトウェア３２４では、次のような処理を行う。
・補助表示部５に表示する表示情報のＡＳＩＣレジスタ３５への書き込み。
・補助表示部５の表示制御。
・上位アプリケーションレイヤから送られてくるメッセージの調停。つまり、複数のアプリケーションから複数のメッセージが送信されてきた場合、これらのメッセージを補助表示部５にローテーション表示する等の調停を行う。
・補助表示部５の表示又はバックライト２４Ａの点滅制御。
・補助表示部５の表示又はバックライト２４Ａの発光色制御。
【００４４】
次に、本実施例の全体動作を、図９〜図１９と共に説明する。図９は、装置電源オン時の動作を説明するフローチャートである。図１０は、図９に示す処理をより詳細に説明するフローチャートである。図１１は、ＢＩＯＳ処理時に表示される情報を示す図である。図１２〜図１５は、夫々設定画面を説明する図である。図１６は、各種イベントに応じた動作を説明するフローチャートである。図１７は、図１６に示す処理をより詳細に説明するフローチャートである。図１８は、動作に応じた各種表示情報を示す図である。図１９は、各種イベントに応じた動作を説明するフローチャートである。図９、図１６及び図１９に示す二重枠で示すステップは、基本的には上記ＬＣＤハンドルソフトウェア３２４により実行される。
【００４５】
図９において、ステップＳ１１で情報処理装置の電源がオンにされると、ステプＳ１２でＢＩＯＳ処理を行う。これにより、補助表示部５のキャラクタ表示部２４には、情報処理装置のモデル名などの機種情報を表示する。図１１（ａ），（ｂ）は、夫々表示される機種情報の一例を示す。ステップＳ１２の後、ステップＳ１３はオペレーティングシステム（ＯＳ）を起動し、処理は補助表示部５の表示内容を設定するステップＳ１４へ進む。ステップＳ１４は、ステップＳ１５〜Ｓ２３からなる。
【００４６】
ステップＳ１５は、現在時刻が５時〜１１時の間であるか否かを判定する。ステップＳ１５の判定結果がＹＥＳであると、ステップＳ１７は、補助表示部５のキャラクタ表示部２４に「コンニチワ」なる挨拶を表示し、処理はステップＳ２０へ進む。他方、ステップＳ１６の判定結果がＮＯであると、ステップＳ１８は、補助表示部５のキャラクタ表示部２４に「コンバンワ」なる挨拶を表示し、処理はステップＳ２０へ進む。又、ステップＳ１５の判定結果がＹＥＳであると、ステップＳ１９は、「オハヨウ」なる挨拶を補助表示部５のキャラクタ表示部２４に表示し、処理はステップＳ２０へ進む。挨拶のメッセージは、スクロール表示しても良い。ステップＳ２０は、補助表示部５のキャラクタ表示部２４に現在時刻を表示する。
【００４７】
ステップＳ２０の後、ステップＳ２１は、キャラクタ表示部２４に表示するべきＣＤ、電子メール、パスワードに関するメッセージの設定を行う。ステップＳ２１で行う設定は、例えば重要又は特定の電子メールの設定、差出人又は件名（題名）表示の設定、通話（通信）時間又は通話（通信）料金表示の設定、バックライトの設定等を含む。
【００４８】
ステップＳ２２は、キャラクタ表示部２４に表示するべきユーザメッセージの設定を行う。ステップＳ２２で行う設定は、例えば表示内容の設定、表示タイミングの設定、バックライトの設定等を含む。
【００４９】
ステップＳ２３は、キャラクタ表示部２４に表示するべきアプリ（ＰＩＭ等）連携の設定を行う。ステップＳ２３で行う設定は、例えばスケジュール連携の設定、バックライトの設定等を含む。
【００５０】
ステップＳ２３の後、情報処理装置はＯＳ上で動作を行い、各種イベントの発生に応じて、図１６又は図１９と共に後述する処理が行われる。尚、以下の説明では、表示内容は、補助表示部５のキャラクタ表示部２４に表示されるものとする。
【００５１】
次に、図９に示すステップＳ１４で行われる処理のより詳細な説明を、図１０と共に説明する。図１０において、図９に示すステップＳ１３の後、ステップＳ１０１は、メッセージ表示を行うか否かを判定し、判定結果がＹＥＳであると、ステップＳ１０２は、イベント関連の処理を行う。ステップＳ１０３は、イベント機能が有効設定されているか否かを判定し、判定結果がＮＯであると、ステップＳ１０４は、挨拶を行うか否かを判定する。ステップＳ１０４の判定結果がＹＥＳであると、ステップＳ１０５は、現在時刻に応じた例えば図９に示すステップＳ１７〜Ｓ１９の如き挨拶を補助表示部５のキャラクタ表示部２４に表示し、処理はステップＳ１０６へ進む。ステップＳ１０６は、現在時刻を補助表示部５のキャラクタ表示部２４に表示する。又、ステップＳ１０７は、補助表示部５のキャラクタ表示部２４に、ユーザにより設定されている表示を行う。尚、ユーザが図９に示すステップＳ２１〜Ｓ２３の如き設定を行う場合には、それらの設定はステップＳ１０６とステップＳ１０７の間に行う。例えば、ＯＳが動作し、そのＯＳ上で動作するアプリケーションが利用できる状態に設定を行う。
【００５２】
他方、ステップＳ１０４の判定結果がＮＯであると、ステップＳ１１０は、情報処理装置のシャットダウン時刻の表示を行うか否かを判定する。ステップＳ１１０の判定結果がＹＥＳであると、ステップＳ１１１は、シャットダウン時刻の表示を行い、処理はステップＳ１０６へ進む。又、ステップＳ１１０の判定結果がＮＯであると、ステップＳ１１２は、ユーザにより設定されているメッセージを補助表示部５のキャラクタ表示部２４に表示し、処理はステップＳ１０６へ進む。
【００５３】
ステップＳ１０３の判定結果がＹＥＳであると、ステップＳ１１５は、イベントが発生したか否かを判定し、判定結果がＮＯであると、処理はステップＳ１０４へ進む。他方、ステップＳ１１５の判定結果がＹＥＳであると、ステップＳ１１６は、発生したイベントを補助表示部５のキャラクタ表示部２４に表示し、処理はステップＳ１０６へ進む。
【００５４】
次に、図９に示すステップＳ２１〜Ｓ２３で行われる設定時に主表示部１５に表示される各種設定画面を、図１２〜図１５と共に説明する。図１２は、トレイメニュー画面を示す図である。図１３は、メッセージボード設定画面を示す図である。図１４は、タイマ設定画面を示す図である。又、図１５は、メッセージ指定画面を示す図である。
【００５５】
説明の便宜上、補助表示部５を用いる処理に関連する設定や、補助表示部５に表示する内容の設定等に使用されるアプリケーションが、Ｗｉｎｄｏｗｓ（登録商標）ＯＳで動作するものとする。この場合、情報処理装置を起動すると、タスクトレイにこのアプリケーションのアイコンが表示され、ステップＳ２１〜Ｓ２３における設定を行うために、ユーザがこのアイコンを選択することで図１２に示すトレイメニュー画面が表示される。
【００５６】
ユーザが、トレイメニュー画面上で「設定」を選択すると、図１３に示す如きプロパティ設定画面が表示される。プロパティ設定画面は、各設定に対応した複数のタブで構成されており、ユーザが設定を変更するべきタブを選択する。図１３では、メッセージボード、画像、設定、グリーティング、ニュース、タイマの６つのタブが設けられている。図１３は、６つのタブのうち、メッセージボードのタブが選択された状態を示す。ユーザは、このメッセージボードのタブにおいて、表示するべきメッセージを指定する。ここでは、「ただいま食事中です。」なるメッセージが指定されている。
【００５７】
図１４は、６つのタブのうち、タイマのタブが選択された状態を示す。ユーザは、通知を行う時刻の指定、通知するメッセージの指定、定期的に通知する場合の間隔等を指定する。ここでは、２種類の通知及びメッセージの指定が可能な場合を示す。又、通知するメッセージの指定を行う際には、ユーザは、例えばメッセージ（Ｍ）に対するメッセージ指定（Ｓ）ボタン５００を選択し、これにより図１５に示メッセージ指定画面が表示される。図１５は、メッセージ（Ｍ）、補助表示部５のバックライトの色（Ｃ）及び表示時間が設定可能な場合を示す。具体的には、図１５はメッセージ（Ｍ）が「帰社時間になりました」、バックライトの色（Ｃ）が「紫」、表示時間が「６０秒」と指定された状態を示す。
【００５８】
他のタブが選択された場合も、同様にして対応する設定を変更可能である。
【００５９】
次に、各種イベントの発生に応じて行われる処理について、図１６と共に説明する。図１６において、ステップＳ３１でＣＤ再生イベントが発生すると、ステップＳ３２は、例えば図１８（ｊ）に示すような、ＣＤ再生中であることを示すメッセージを表示する。尚、図１８（ｊ）及び図１８（ａ）〜（ｌ）中、文字以外のシンボルやアニメーションは、文字で表すメッセージの内容を補足するのに使用可能である。図１８（ｊ）の場合、文字の下側に表示される音符は、ＣＤ再生により音楽が再生されていることを示している。
【００６０】
ステップＳ４１で電子メール着信イベントが発生すると、ステップＳ４２では、例えば図１８（ａ）に示すような、ダイヤルアップ中であることを示すメッセージを表示する。その後、ダイヤルアップの結果に応じて、ステップＳ４３により、回線がビジーであることを示すメッセージを表示したり、ステップＳ４４により、図１８（ｄ）に示すような、リダイヤル待機中であることを示すメッセージを表示しても良い。ステップＳ４５は、図１８（ｂ）に示すような、接続認証中であることを示すメッセージを表示する。接続認証の結果に応じて、ステップＳ４６により、認証エラーが発生したことを示すメッセージを表示しても良い。
【００６１】
ステップＳ４７は、図１８（ｃ）に示すような、回線接続中であることを示すメッセージを表示し、ステップＳ４８は、図１８（ｅ）に示すような、電子メールチェック中であることを示すメッセージを表示する。ステップＳ４９は、図１８（ｆ）に示すような、電子メールを受信中であることを示すメッセージを表示する。ステップＳ５０は、図１８（ｇ）に示すような、電子メールの着信があったことを示すメッセージを表示する。又、ステップＳ５１は、着信した電子メールの件数を示すメッセージを表示する。
【００６２】
ステップＳ５２において、図１８（ｈ）に示すような、重要度の高い電子メールの着信を示すメッセージを表示したり、ステップＳ５３において、図１８（ｉ）に示すような、特定の差出人からの電子メールの着信を示すメッセージを表示しても良い。他方、ステップＳ５４において、特定の差出人からの電子メールの着信を示すメッセージを表示したり、ステップＳ５５において、着信した電子メールの件名（題名）を示すメッセージを表示しても良い。
【００６３】
ステップＳ５６は、通話時間又は通話料金を示すメッセージを表示し、ステップＳ５７は、その他のエラーが存在する場合にはエラーを示すメッセージを表示する。
【００６４】
上記の如きメッセージボードのタブを用いて、ユーザにより指定されたメッセージを表示する設定が行われている場合、ステップＳ６１は、図１８（ｋ）に示す如きメッセージを表示する。
【００６５】
尚、図１８（ａ）〜（ｌ）に示す表示内容は、メッセージがスクロールしても、バックライトの色表示/点滅を切り替えても、シンボルやアニメーションを一緒に表示しても良い。特に、電子メールの重要度が高い場合や、特定の差出人からの着信を表示する場合、バックライトの制御により表示を強調することで、表示内容の重要度を表すことができる。又、エラー等の表示を例えば赤色のバックライトやバックライトの点滅を伴って行うことにより、ユーザに異常状態等を容易に認識可能とすることもできる。更に、何種類かのメッセージをローテーション表示するようにしても良い。
【００６６】
次に、図１６に示すステップＳ５０以降で行われる処理のより詳細な説明を、図１７と共に説明する。図１７において、図１６に示すステップＳ４９の後、ステップＳ１２１は、メインメモリ（ＲＡＭ、図示せず）又は補助記憶装置（ハードディスク等、図示せず）に予め登録されている登録メールアドレスリストを読み込み、ステップＳ１２２は、電子メールの差出人のメールアドレスが、登録メールアドレスリストに含まれているか否かを判定する。ステップＳ１２２の判定結果がＮＯであると、ステップＳ１２３は、着信した電子メールに重要度の高い電子メールがあるか否かを判定する。重要度の高い電子メールは、例えば特定の送信者、電子メールのヘッダの優先順位又は特定のタイトル、所定のマーキングが施された電子メール等から判別可能である。
【００６７】
ステップＳ１２３の判定結果がＮＯであると、ステップＳ１２５は、通常時のシンボル/アニメーション及びバックライトを設定し、処理は後述するステップＳ１２８へ進む。ステップＳ１２３の判定結果がＹＥＳであると、ステップＳ１２６は、重要度の高い電子メール用のシンボル/アニメーション及びバックライトを設定し、処理は後述するステップＳ１２８へ進む。又、ステップＳ１２２の判定結果がＹＥＳであると、ステップＳ１２７は、特定の差出人からの電子メール用のシンボル/アニメーション及びバックライトを設定し、処理は後述するステップＳ１２８へ進む。ステップＳ１２５〜Ｓ１２７は、ステップＳ１２４を構成し、このステップＳ１２４には図１６に示すステップＳ５０，Ｓ５１の処理も含まれる。
【００６８】
ステップＳ１２８は、アプリボタン群７のアプリボタン等の押下により次の電子メールへ進むことが指示されていれば、次の電子メールへ進む。ステップＳ１２９は、次の電子メールが存在せず、最後の電子メールであるか否かを判定し、判定結果がＹＥＳであると、処理は終了する。他方、ステップＳ１２９の判定結果がＮＯであると、ステップＳ１３０は、次の電子メールの差出人やタイトル等の表示を行い、処理はステップＳ１２８へ戻る。従って、ステップＳ１３０は、図１６に示すステップＳ５３やＳ５５等の処理を含む。
【００６９】
尚、ステップＳ１２９の判定結果がＹＥＳの場合、処理を終了する前に、図１６に示すステップＳ５６やＳ５７の如き処理を行っても良い。
【００７０】
次に、各種イベントの発生に応じて行われる処理について、図１９と共に説明する。図１９において、アプリケーション連携タイミングで、ステップＳ７１は、アプリケーション連携メッセージを表示する。例えば、スケジュールされた時間にスケジュール連携表示を行う。つまり、ユーザがアプリケーション上で設定した時刻に、対応して設定したスケジュール情報等の内容を表示することができる。従って、ユーザがスケジュール管理アプリケーション等で設定した時刻、内容に応じた表示を行うことができる。上記の如きタイマのタブを用いて、ユーザにより指定されたメッセージを指定されたタイミングで表示する設定が行われている場合、ステップＳ７１は、図１８（ｌ）に示す如きメッセージを表示する。図１８（ｌ）では、帰社時間と現在の日付のみが表示されているが、実際にはこれらの時間情報と「帰社時間になりました」なるメッセージとが交互にスクロール表示されても、メッセージのみを表示しても良いことは、言うまでもない。
【００７１】
この場合、スケジュール管理アプリケーション内で、時刻に対応したメッセージを設定して、その時刻になるとアラーム等を発生するプログラムと、補助表示部５が連携することができる。スケジュール管理アプリケーションは、スケジュールされた時刻になると、補助表示部５に対して割り込み等を発生し、補助表示部５は、スケジュール管理アプリケーションで設定されているスケジュールを表示する。
【００７２】
ステップＳ８１でスタンバイ移行イベントが発生すると、ステップＳ８２は、電子メール予約が有るか否かを判定する。ステップＳ８２の判定結果がＹＥＳであると、ステップＳ８３は、次回の電子メールチェック時刻を表示し、処理はステップＳ８５へ進む。他方、ステップＳ８２の判定結果がＮＯであると、ステップＳ８４は、スタンバイ状態へ移行したスタンバイ移行時刻を表示する。ステップＳ８３又はＳ８４の後、ステップＳ８５は、情報処理装置をスタンバイ状態へ移行させる。
【００７３】
ステップＳ８６でスタンバイ中のＣＤ再生イベントが発生すると、ステップＳ８７は、図１８（ｊ）に示すような、ＣＤ再生中であることを示すメッセージを表示する。
【００７４】
又、スタンバイ状態への移行後、又は、シャットダウン状態において、ステップＳ８８でウェイクアップイベントが発生すると、ステップＳ８９は、パスワード要求を表示する。パスワード要求は、例えば「パスワードを入力して下さい」等のメッセージである。又、ステップＳ９０は、パスワード入力を表示する。パスワード入力は、例えば補助表示部５の横のアプリボタン群７のアプリボタンをパスワードに対応した回数及び／又は順序で押すことで行われ、補助表示部５には例えばアプリボタンを押すごとに「＊」等が表示される。パスワードにエラーがある場合には、ステップＳ９１で、パスワードエラーを表示しても良い。パスワードエラーは、例えば「パスワードエラーです」等のメッセージである。このようにして、パスワードが正しく入力されると、情報処理装置はウェイクアップ状態となる。
【００７５】
アプリボタン群７のアプリボタンを、パスワードに対応した回数及び／又は順序で押すことでパスワード入力を行う場合、本実施例では、蓋部材３が閉成された状態でパスワード入力を行えるので、操作性が良い。又、パスワード入力の結果も、蓋部材３が閉成された状態で補助表示部５に表示される情報から確認可能である。
【００７６】
尚、本発明は、以下に付記する発明をも包含するものである。
（付記１）  主表示部と補助表示部とを有する電子装置の状態情報を表示する状態表示制御装置であって、
前記電子装置がスタンバイ状態へ移行するスタンバイ移行時刻を前記補助表示部に表示する制御部を備えたことを特徴とする、状態表示制御装置。
（付記２）  主表示部と補助表示部とを有する電子装置の状態情報を表示する状態表示制御装置であって、
前記電子装置の次回の電子メールチェック時刻を前記補助表示部に表示する制御部を備えたことを特徴とする、状態表示制御装置。
（付記３）  主表示部と補助表示部とを有する電子装置の状態情報を表示する状態表示制御装置であって、
前記電子装置の起動時刻に応じた挨拶文を文字により前記補助表示部に表示する制御部を備えたことを特徴とする、状態表示制御装置。
（付記４）  主表示部と補助表示部とを有する電子装置の状態情報を表示する状態表示制御装置であって、
前記電子装置の可搬型記録媒体の再生状態を前記補助表示部に表示する制御部を備えたことを特徴とする、状態表示制御装置。
（付記５）  主表示部と補助表示部とを有する電子装置の状態情報を表示する状態表示制御装置であって、
前記電子装置の通信の接続ステータスを前記補助表示部に表示する制御部を備えたことを特徴とする、状態表示制御装置。
（付記６）  前記通信の接続ステータスは、ダイヤルアップ中、接続認証中、接続中、リダイヤル待機中、次回の通信時刻、電子メールチェック中、電子メール受信中、異常状態の少なくとも１つを示すことを特徴とする、付記５記載の状態表示制御装置。
（付記７）  主表示部と補助表示部とを有する電子装置の状態情報を表示する状態表示制御装置であって、
前記電子装置への電子メールの着信を文字によるメッセージで前記補助表示部に表示する制御部を備えたことを特徴とする、状態表示制御装置。
（付記８）  主表示部と補助表示部とを有する電子装置の状態情報を表示する状態表示制御装置であって、
前記電子装置への特定電子メールの着信通知を前記補助表示部に表示する制御部を備えたことを特徴とする、状態表示制御装置。
（付記９）  前記特定電子メールは、重要度の高い電子メールであることを特徴とする、付記８記載の状態表示制御装置。
（付記１０）  前記制御部は、前記特定電子メールの着信通知を、表示色及び／又は点滅表示を用いて前記補助表示部に表示することを特徴とする、付記９記載の状態表示制御装置。
（付記１１）  前記特定電子メールは、特定の差出人からの電子メールであることを特徴とする、付記８記載の状態表示制御装置。
（付記１２）  前記制御部は、前記特定電子メールの着信通知を、表示色及び／又は点滅表示を用いて前記補助表示部に表示することを特徴とする、付記１１記載の状態表示制御装置。
（付記１３）  主表示部と補助表示部とを有する電子装置の状態情報を表示する状態表示制御装置であって、
前記電子装置へ着信した電子メールを特定可能な情報を前記補助表示部に表示する制御部を備えたことを特徴とする、状態表示制御装置。
（付記１４）  前記着信した電子メールを特定可能な情報は、差出人の情報であることを特徴とする、付記１３記載の状態表示制御装置。
（付記１５）  前記着信した電子メールを特定可能な情報は、電子メールの件名であることを特徴とする、付記１３記載の状態表示制御装置。
（付記１６）  主表示部と補助表示部とを有する電子装置の状態情報を表示する状態表示制御装置であって、
前記電子装置の通信時間又は通信料金の少なくとも一方を前記補助表示部に表示する制御部を備えたことを特徴とする、状態表示制御装置。
（付記１７）  主表示部と補助表示部とを有する電子装置の状態情報を表示する状態表示制御装置であって、
前記電子装置の起動時に該電子装置の機種情報を前記補助表示部に表示する制御部を備えたことを特徴とする、状態表示制御装置。
（付記１８）  主表示部と補助表示部とを有する電子装置の状態情報を表示する状態表示制御装置であって、
前記電子装置の音量調整つまみの位置を前記補助表示部に表示する制御部を備えたことを特徴とする、状態表示制御装置。
（付記１９）  主表示部と補助表示部とを有する電子装置の状態情報を表示する状態表示制御装置であって、
前記電子装置の状態情報を、表示色及び／又は点滅表示により前記補助表示部に表示する制御部を備えたことを特徴とする、状態表示制御装置。
（付記２０）  電子装置の主表示部より表示面積の小さな補助表示部により前記電子装置の状態情報を表示する状態表示制御装置であって、
前記電子装置の複数の状態情報を、文字によるメッセージと、シンボル及び前記補助表示部の表示色及び/又は点滅表示のうち少なくとも一方との組み合わせにより前記補助表示部に表示する制御部を備えたことを特徴とする、状態表示制御装置。
（付記２１）  主表示部と、
電子装置の状態情報を表示する補助表示部と、
前記電子装置がスタンバイ状態へ移行するスタンバイ移行時刻を前記補助表示部に表示する制御部を備えたことを特徴とする、電子装置。
（付記２２）  主表示部と、
電子装置の状態情報を表示する補助表示部と、
前記電子装置の次回の電子メールチェック時刻を前記補助表示部に表示する制御部を備えたことを特徴とする、電子装置。
（付記２３）  主表示部と、
電子装置の状態情報を表示する補助表示部と、
前記電子装置の起動時刻に応じた挨拶文を文字により前記補助表示部に表示する制御部を備えたことを特徴とする、電子装置。
（付記２４）  主表示部と、
電子装置の状態情報を表示する補助表示部と、
前記電子装置の可搬型記録媒体の再生状態を前記補助表示部に表示する制御部を備えたことを特徴とする、電子装置。
（付記２５）  主表示部と、
電子装置の状態情報を表示する補助表示部と、
前記電子装置の通信の接続ステータスを前記補助表示部に表示する制御部を備えたことを特徴とする、電子装置。
（付記２６）  前記通信の接続ステータスは、ダイヤルアップ中、接続認証中、接続中、リダイヤル待機中、次回の通信時刻、電子メールチェック中、電子メール受信中、異常状態の少なくとも１つを示すことを特徴とする、付記２５記載の電子装置。
（付記２７）  主表示部と、
電子装置の状態情報を表示する補助表示部と、
前記電子装置への電子メールの着信を文字によるメッセージで前記補助表示部に表示する制御部を備えたことを特徴とする、電子装置。
（付記２８）  主表示部と、
電子装置の状態情報を表示する補助表示部と、
前記電子装置への特定電子メールの着信通知を前記補助表示部に表示する制御部を備えたことを特徴とする、電子装置。
（付記２９）  前記特定電子メールは、重要度の高い電子メールであることを特徴とする、付記２８記載の電子装置。
（付記３０）  前記制御部は、前記特定電子メールの着信通知を、表示色及び／又は点滅表示を用いて前記補助表示部に表示することを特徴とする、付記２９記載の電子装置。
（付記３１）  前記特定電子メールは、特定の差出人からの電子メールであることを特徴とする、付記２８記載の電子装置。
（付記３２）  前記制御部は、前記特定電子メールの着信通知を、表示色及び／又は点滅表示を用いて前記補助表示部に表示することを特徴とする、付記３１記載の電子装置。
（付記３３）  主表示部と、
電子装置の状態情報を表示する補助表示部と、
前記電子装置へ着信した電子メールを特定可能な情報を前記補助表示部に表示する制御部を備えたことを特徴とする、電子装置。
（付記３４）  前記着信した電子メールを特定可能な情報は、差出人の情報であることを特徴とする、付記３３記載の電子制御装置。
（付記３５）  前記着信した電子メールを特定可能な情報は、電子メールの件名であることを特徴とする、付記３３記載の電子装置。
（付記３６）  主表示部と、
電子装置の状態情報を表示する補助表示部と、
前記電子装置の通信時間又は通信料金の少なくとも一方を前記補助表示部に表示する制御部を備えたことを特徴とする、電子装置。
（付記３７）  主表示部と、
電子装置の状態情報を表示する補助表示部と、
前記電子装置の起動時に該電子装置の機種情報を前記補助表示部に表示する制御部を備えたことを特徴とする、電子装置。
（付記３８）  主表示部と、
電子装置の状態情報を表示する補助表示部と、
前記電子装置の音量調整つまみの位置を前記補助表示部に表示する制御部を備えたことを特徴とする、電子装置。
（付記３９）  主表示部と、
電子装置の状態情報を表示する補助表示部と、
前記電子装置の状態情報を、表示色及び／又は点滅表示により前記補助表示部に表示する制御部を備えたことを特徴とする、電子装置。
（付記４０）  本体部と、
該本体部に対して開閉可能に設けられ、前記主表示部が開成状態でのみ見える位置に配置された蓋部材とを更に備え、
前記補助表示部は、該本体部の、該蓋部材の閉成状態でも見える位置に配置されていることを特徴とする、付記２１〜３９のいずれか１項記載の電子装置。
（付記４１）  本体部と、
該本体部に対して開閉可能に設けられ、前記主表示部が開成状態でのみ見える位置に配置された蓋部材とを更に備え、
前記補助表示部は、該本体部の、該蓋部材の閉成状態でも見える位置に配置された第１の表示部と、該蓋部材の開成状態でのみ見える位置に配置された第２の表示部とからなることを特徴とする、付記２１〜３９のいずれか１項記載の電子装置。
（付記４２）  主表示部と、
該主表示部より小さな表示面積を有する補助表示部と、
電子装置の複数の状態情報を、文字によるメッセージと、シンボル及び前記補助表示部の表示色及び/又は点滅表示のうち少なくとも一方との組み合わせにより該補助表示部に表示する制御部を備えたことを特徴とする、電子装置。
（付記４３）  主表示部と補助表示部とを有する電子装置の状態情報をコンピュータに表示させるプログラムを格納したコンピュータ読み取り可能な記憶媒体であって、
コンピュータに、前記電子装置がスタンバイ状態へ移行するスタンバイ移行時刻を前記補助表示部に表示させる制御手順を含むプログラムを格納したことを特徴とする、記憶媒体。
（付記４４）  主表示部と補助表示部とを有する電子装置の状態情報をコンピュータに表示させるプログラムを格納したコンピュータ読み取り可能な記憶媒体であって、
コンピュータに、前記電子装置の次回の電子メールチェック時刻を前記補助表示部に表示させる制御手順を含むプログラムを格納したことを特徴とする、記憶媒体。
（付記４５）  主表示部と補助表示部とを有する電子装置の状態情報をコンピュータに表示させるプログラムを格納したコンピュータ読み取り可能な記憶媒体であって、
コンピュータに、前記電子装置の起動時刻に応じた挨拶文を文字により前記補助表示部に表示させる制御手順を含むプログラムを格納したことを特徴とする、記憶媒体。
（付記４６）  主表示部と補助表示部とを有する電子装置の状態情報をコンピュータに表示させるプログラムを格納したコンピュータ読み取り可能な記憶媒体であって、
コンピュータに、前記電子装置の可搬型記録媒体の再生状態を前記補助表示部に表示させる制御手順を含むプログラムを格納したことを特徴とする、記憶媒体。
（付記４７）  主表示部と補助表示部とを有する電子装置の状態情報をコンピュータに表示させるプログラムを格納したコンピュータ読み取り可能な記憶媒体であって、
コンピュータに、前記電子装置の通信の接続ステータスを前記補助表示部に表示させる制御手順を含むプログラムを格納したことを特徴とする、記憶媒体。
（付記４８）  主表示部と補助表示部とを有する電子装置の状態情報をコンピュータに表示させるプログラムを格納したコンピュータ読み取り可能な記憶媒体であって、
コンピュータに、前記電子装置への電子メールの着信を文字によるメッセージで前記補助表示部に表示させる制御手順を含むプログラムを格納したことを特徴とする、記憶媒体。
（付記４９）  主表示部と補助表示部とを有する電子装置の状態情報をコンピュータに表示させるプログラムを格納したコンピュータ読み取り可能な記憶媒体であって、
コンピュータに、前記電子装置への特定電子メールの着信通知を前記補助表示部に表示させる制御手順を含むプログラムを格納したことを特徴とする、記憶媒体。
（付記５０）  主表示部と補助表示部とを有する電子装置の状態情報をコンピュータに表示させるプログラムを格納したコンピュータ読み取り可能な記憶媒体であって、
コンピュータに、前記電子装置へ着信した電子メールを特定可能な情報を前記補助表示部に表示させる制御手順を含むプログラムを格納したことを特徴とする、記憶媒体。
（付記５１）  主表示部と補助表示部とを有する電子装置の状態情報をコンピュータに表示させるプログラムを格納したコンピュータ読み取り可能な記憶媒体であって、
コンピュータに、前記電子装置の通信時間又は通信料金の少なくとも一方を前記補助表示部に表示させる制御手順を含むプログラムが格納したことを特徴とする、記憶媒体。
（付記５２）  主表示部と補助表示部とを有する電子装置の状態情報をコンピュータに表示させるプログラムを格納したコンピュータ読み取り可能な記憶媒体であって、
コンピュータに、前記電子装置の起動時に該電子装置の機種情報を前記補助表示部に表示させる制御手順を含むプログラムを格納したことを特徴とする、記憶媒体。
（付記５３）  主表示部と補助表示部とを有する電子装置の状態情報をコンピュータに表示させるプログラムを格納したコンピュータ読み取り可能な記憶媒体であって、
コンピュータに、前記電子装置の音量調整つまみの位置を前記補助表示部に表示する制御手順を含むプログラムを格納したことを特徴とする、記憶媒体。
（付記５４）  主表示部と補助表示部とを有する電子装置の状態情報をコンピュータに表示させるプログラムを格納したコンピュータ読み取り可能な記憶媒体であって、
コンピュータに、前記電子装置の状態情報を、表示色及び／又は点滅表示により前記補助表示部に表示させる制御手順を含むプログラムを格納したことを特徴とする、記憶媒体。
（付記５５）  主表示部と補助表示部とを有する電子装置の状態情報をコンピュータに表示させるプログラムを格納したコンピュータ読み取り可能な記憶媒体であって、
コンピュータに、前記電子装置の複数の状態情報を、文字によるメッセージと、シンボル及び前記補助表示部の表示色及び/又は点滅表示のうち少なくとも一方との組み合わせにより前記補助表示部に表示させる制御手順を含むプログラムを格納したことを特徴とする、記憶媒体。
（付記５６）  主表示部と補助表示部とを有する電子装置の状態情報を表示する状態表示制御装置であって、
ユーザが時刻に対応して設定した内容を前記補助表示部に表示する制御部を備えたことを特徴とする、状態表示制御装置。
（付記５７）  前記内容は、スケジュール情報であることを特徴とする、付記５６記載の状態表示制御装置。
（付記５８）  主表示部と補助表示部とを有する電子装置の状態情報を表示する状態表示制御装置であって、
前記電子装置のためのパスワード入力に関する表示を前記補助表示部に表示する制御部を備えたことを特徴とする、状態表示制御装置。
（付記５９）  主表示部と、
電子装置の状態情報を表示する補助表示部と、
ユーザが時刻に対応して設定した内容を前記補助表示部に表示する制御部を備えたことを特徴とする、電子装置。
（付記６０）  前記内容は、スケジュール情報であることを特徴とする、付記５９記載の電子装置。
（付記６１）  主表示部と、
電子装置の状態情報を表示する補助表示部と、
前記電子装置のためのパスワード入力に関する表示を前記補助表示部に表示する制御部を備えたことを特徴とする、電子装置。
（付記６２）  主表示部と補助表示部とを有する電子装置の状態情報をコンピュータに表示させるプログラムを格納したコンピュータ読み取り可能な記憶媒体であって、
コンピュータに、ユーザが時刻に対応して設定した内容を前記補助表示部に表示させる制御手順を含むプログラムを格納したことを特徴とする、記憶媒体。
（付記６３）  前記内容は、スケジュール情報であることを特徴とする、付記６２記載の記憶媒体。
（付記６４）  主表示部と補助表示部とを有する電子装置の状態情報をコンピュータに表示させるプログラムを格納したコンピュータ読み取り可能な記憶媒体であって、
コンピュータに、前記電子装置のためのパスワード入力に関する表示を前記補助表示部に表示させる制御手順を含むプログラムを格納したことを特徴とする、記憶媒体。
（付記６５）  電子装置の主表示部より表示面積の小さな補助表示部により前記電子装置の状態情報を表示する状態表示制御装置であって、
前記電子装置の複数の状態情報を、文字によるメッセージと、シンボル及び前記補助表示部の表示色及び/又は点滅表示のうち少なくとも一方との組み合わせにより前記補助表示部に表示する制御部を備えたことを特徴とする、状態表示制御装置。
（付記６６）  前記制御部は、スクロールする文字によりメッセージを前記補助表示部に表示することを特徴とする、付記６５記載の状態表示制御装置。
（付記６７）  前記状態情報は、時刻に関する状態情報、電子メールに関する状態情報、前記電子装置内のデバイスに関する状態情報、パスワードに関する状態情報のうち、少なくとも１つからなることを特徴とする、付記６５又は６６記載の状態表示制御装置。
（付記６８）  前記時刻に関する状態情報は、スタンバイ移行時刻、次回の電子メールチェック時刻、起動時刻に応じた挨拶のうち少なくとも１つである、付記６７記載の状態表示制御装置。
（付記６９）  前記電子メールに関する状態情報は、ダイアルアップ中、接続認証中、接続中、リダイヤル待機中、メールチェック中、メール受信中、メールの差出人、メールの件名、特定差出人からのメール、重要度の高いメールの着信、メール通信時間、メール通信料金、異常状態のうち、少なくとも１つである、付記６７又は６８記載の状態表示制御装置。
（付記７０）  前記デバイスに関する状態情報は、音量調整つまみの位置を示すことを特徴とする、付記６７〜６９のうちいずれか１項記載の状態表示制御装置。
（付記７１）  主表示部と、
該主表示部より小さな表示面積を有する補助表示部と、
電子装置の複数の状態情報を、文字によるメッセージと、シンボル及び前記補助表示部の表示色及び/又は点滅表示のうち少なくとも一方との組み合わせにより該補助表示部に表示する制御部を備えたことを特徴とする、電子装置。
（付記７２）  本体部と、
該本体部に対して開閉可能に設けられ、前記主表示部が開成状態でのみ見える位置に配置された蓋部材とを更に備え、
前記補助表示部は、該本体部の、該蓋部材の閉成状態でも見える位置に配置されていることを特徴とする、付記７１記載の電子装置。
（付記７３）  本体部と、
該本体部に対して開閉可能に設けられ、前記主表示部が開成状態でのみ見える位置に配置された蓋部材とを更に備え、
前記補助表示部は、該本体部の、該蓋部材の閉成状態でも見える位置に配置された第１の表示部と、該蓋部材の開成状態でのみ見える位置に配置された第２の表示部とからなることを特徴とする、付記７１記載の電子装置。
（付記７４）  前記制御部は、スクロールする文字によりメッセージを前記補助表示部に表示することを特徴とする、付記７１〜７３のいずれか１項記載の電子装置。
（付記７５）  前記状態情報は、時刻に関する状態情報、電子メールに関する状態情報、前記情報処理装置内のデバイスに関する状態情報、パスワードに関する状態情報のうち、少なくとも１つからなることを特徴とする、付記７１〜７４のいずれか１項記載の電子装置。
（付記７６）  前記時刻に関する状態情報は、スタンバイ移行時刻、次回の電子メールチェック時刻、起動時刻に応じた挨拶のうち少なくとも１つである、付記７５記載の電子装置。
（付記７７）  前記電子メールに関する状態情報は、ダイアルアップ中、接続認証中、接続中、リダイヤル待機中、メールチェック中、メール受信中、メールの差出人、メールの件名、特定差出人からのメール、重要度の高いメールの着信、メール通信時間、メール通信料金、異常状態のうち、少なくとも１つである、付記７５又は７６記載の電子装置。
（付記７８）  前記デバイスに関する状態情報は、音量調整つまみの位置を示すことを特徴とする、付記７５〜７７のうちいずれか１項記載の電子装置。
（付記７９）  前記制御部は、予め指定されたメッセージを文字により補助表示部に表示することを特徴とする、付記７１〜７３のいずれか１項記載の電子装置。
（付記８０）  前記状態情報は、予め指定されたタイマの時間情報からなることを特徴とする、付記７１〜７３，７９のいずれか１項記載の電子装置。
（付記８１）  前記制御部は、予め指定されたメッセージを文字により補助表示部に表示することを特徴とする、付記６５項記載の状態表示制御装置。
（付記８２）  前記状態情報は、予め指定されたタイマの時間情報からなることを特徴とする、付記６５又は８１記載の状態表示制御装置。
【００７７】
以上、本発明を実施例により説明したが、本発明は上記実施例に限定されるものではなく、本発明の範囲内で種々の変形及び改良が可能であることは、言うまでもない。
【図面の簡単な説明】
【００７８】
【図１】本発明になる電子装置の一実施例を蓋部材が閉成された状態で示す斜視図である。
【図２】電子装置の実施例を蓋部材が開成された状態で示す斜視図である。
【図３】補助表示部の基本構成を示す図である。
【図４】補助表示部のより具体的な構成をモードセレクトスイッチとアプリボタン群と共に示す図である。
【図５】実施例のハードウェア構成を示すブロック図である。
【図６】電源ＭＰＵのツマミ位置の検出処理を説明する図である。
【図７】補助表示部とインタフェース部とを示すブロック図である。
【図８】情報処理送致のハードウェア及びソフトウェア構成を示す図である。
【図９】装置電源オン時の動作を説明するフローチャートである。
【図１０】図９に示す処理をより詳細に説明するフローチャートである。
【図１１】ＢＩＯＳ処理時に表示される情報を示す図である。
【図１２】トレイメニュー画面を示す図である。
【図１３】メッセージボード設定画面を示す図である。
【図１４】タイマ設定画面を示す図である。
【図１５】メッセージ指定画面を示す図である。
【図１６】各種イベントに応じた動作を説明するフローチャートである。
【図１７】図１６に示す処理をより詳細に説明するフルーチャートである。
【図１８】動作に応じた各種表示情報を示す図である。
【図１９】各種イベントに応じた動作を説明するフローチャートである。
【符号の説明】
【００７９】
１  本体部
２  ヒンジ部
３  蓋部材
５，１３  補助表示部
１５  主表示部
２１  セグメント表示部
【図１】
2005044351.tif 000003
【図２】
2005044351.tif 000004
【図３】
2005044351.tif 000005
【図４】
2005044351.tif 000006
【図５】
2005044351.tif 000007
【図６】
2005044351.tif 000008
【図７】
2005044351.tif 000009
【図８】
2005044351.tif 000010
【図９】
2005044351.tif 000011
【図１０】
2005044351.tif 000012
【図１１】
2005044351.tif 000013
【図１２】
2005044351.tif 000014
【図１３】
2005044351.tif 000015
【図１４】
2005044351.tif 000016
【図１５】
2005044351.tif 000017
【図１６】
2005044351.tif 000018
【図１７】
2005044351.tif 000019
【図１８】
2005044351.tif 000020
【図１９】
2005044351.tif 000021